(57)【要約】【課題】バッテリカバーの内面に圧縮空気とともに消火液が貯留される消火タンクを設け、バッテリの過熱や漏電などに起因してバッテリの内部に火災が発生したときに、消火タンクが破裂しながら内部に貯留されている消火液がバッテリに噴射されて火災を鎮火することができる消火機能付きバッテリカバーを提供すること。【解決手段】内部にバッテリが収納されるケース１００と、ケース１００の開口部に係合されてバッテリの端子を保護するカバー１３０と、を備えるバッテリパックにおいて、カバー１３０の内面には消火液が貯留される消火タンク１５０が設けられた構成となっている。【選択図】図２
2014506384.tif 000002
【特許請求の範囲】
【請求項１】
内部にバッテリが収納されるケースと、前記ケースの開口部に係合されてバッテリの端子を保護するカバーと、を備えるバッテリパックにおいて、
前記カバーの内面であって、前記ケースの開口部と向かい合う面に、消火液が貯留される消火タンクが設けられていることを特徴とする消火機能付きバッテリカバー。
【請求項２】
前記消火タンクの一方の面には充填口がさらに備えられ、前記充填口は、前記カバーの外周縁に設けられた折曲部を貫通した後にカバー外方に突設されることを特徴とする請求項１に記載の消火機能付きバッテリカバー。
【請求項３】
前記カバーの内側の全面には多数の通油管が配設されており、前記通油管は、前記消火タンクと連通して前記消火タンク内に充填されている消火液が前記通油管を通って前記カバーの全面に分布されるように配設されることを特徴とする請求項１または２に記載の消火機能付きバッテリカバー。
【請求項４】
前記通油管は前記消火タンクを中心として格子状または放射状に配設され、前記通油管の一部または全部は、隣接する他の通油管と互いに連通されていることを特徴とする請求項３に記載の消火機能付きバッテリカバー。
【請求項５】
前記充填口の先端には逆止弁がさらに設けられていることを特徴とする請求項２に記載の消火機能付きバッテリカバー。
【発明の詳細な説明】
【技術分野】
【０００１】
本発明は、消火機能付きバッテリカバーに係り、さらに詳しくは、バッテリカバーの内面に圧縮空気とともに消火液が貯留される消火タンクを設け、バッテリの過熱や漏電などに起因してバッテリの内部に火災が発生したときに、消火タンクが破裂しながら内部に貯留されている消火液がバッテリに噴射されることによって、火災を鎮火することができる消火機能付きバッテリカバーに関する。
【背景技術】
【０００２】
前記のバッテリとは、建設機械または車両に搭載されて内燃機関の作動や各種の電子装備の駆動に必要な電力を供給するための装置を言う。このバッテリは、内部に中空部が形成されており、一方の面が開口されたケースに端子部が開口部を向くように配設されて車両に搭載される。また、バッテリが収納されたケースの開口部には、バッテリの端子部を保護し、外部からの異物の流入を防ぐためにカバーで覆われる。
【０００３】
車両などに搭載されるバッテリは、車両の運行中に爆発や火災が発生する場合がある。バッテリの爆発や火災については、その原因が明らかにされていないものの、端子部の短絡や内蔵された化学物質の不安定によって発生するものと推定されている。このため、バッテリの爆発や火災の原因を除去し、火災などの発生を元から遮断することに限界があった。
【０００４】
このような問題から、従来より、バッテリの周りに消火装置を設け、バッテリから火災や爆発が発生すると、自動的に火災を鎮火する技術が用いられている。従来の技術による消火装置は、バッテリに火災の発生を感知するセンサを備え、バッテリの周りにセンサと接続された消火器を設け、センサが火災の発生を感知すると、消火器が作動して鎮火するようになっている。
【発明の概要】
【発明が解決しようとする課題】
【０００５】
しかしながら、従来の技術による消火装置は、センサが火災の発生を感知できなかった場合に消火器が作動しないという問題があった。また、センサが作動して火災の発生を感知したとしても、消火器の噴射方向が不正確であるか、あるいは、噴射タイミングが不適切である場合には、完璧な鎮火に限界があった。さらに、従来の技術による、バッテリの火災を鎮火するための消火装置は、バッテリ内に組み込むことができないため、嵩張ってしまうという問題もあった。
【０００６】
本発明は、このような問題に鑑みてなされたものであり、バッテリカバーの内面に圧縮空気とともに消火液が貯留される消火タンクを設け、バッテリの内部に火災が発生したとき、消火タンクが破裂しながらその内部に貯留されている消火液が火災の部位に噴射されることによって、迅速に火災を鎮火することができる消火機能付きバッテリカバーを提供することにある。
【課題を解決するための手段】
【０００７】
上記の目的を達成するために、本発明は、内部にバッテリが収納されるケースと、前記ケースの開口部に係合されてバッテリの端子を保護するカバーと、を備えるバッテリパックにおいて、前記カバーの内面であって、前記ケースの開口部と向かい合う面に、消火液が貯留される消火タンクが設けられることを特徴とする。
【発明の効果】
【０００８】
本発明に係る消火機能付きバッテリカバーによれば、別途の感知センサがなくても適切なタイミングで発火地点に向けて正確に消火液または消火ガスを噴射することができ、早期に火災を鎮火することができる。また、バッテリケース内の余裕空間に消火タンクを設けることが可能であるため、製造コストの上昇を抑制することができるとともに、別途の設置空間が不要になるという長所がある。
【図面の簡単な説明】
【０００９】
【図１】本発明に係る消火機能付きバッテリカバーがバッテリの開口部に備えられた状態を示す図である。
【図２】本発明に係る消火機能付きバッテリカバーの構成を示す斜視図である。
【図３】本発明に係る消火機能付きバッテリカバーの通油管の設置状態を示す図である。
【発明を実施するための形態】
【００１０】
以下、添付図面に基づき、本発明の実施形態による消火機能付きバッテリカバーについて説明する。
【００１１】
図１は、本発明に係る消火機能付きバッテリカバーがバッテリの開口部に備えられた状態を示す図である。図２は、本発明に係る消火機能付きバッテリカバーの構成を示す斜視図である。図３は、本発明に係る消火機能付きバッテリカバーの通油管の設置状態を示す図である。
【００１２】
図１〜図３を参照すると、本発明に係る消火機能付きバッテリカバーは、内部にバッテリが収納されるケース１００と、ケース１００の開口部（図示せず）に備えられてバッテリの端子（図示せず）を保護するカバー１３０と、を備えるバッテリパックにおいて、カバー１３０の内面で、且つ前記開口部と向かい合う面に、消火液が貯留される消火タンク１５０が設けられている。
【００１３】
ケース１００は、バッテリを収納するための収納ケースであり、種々の形状を呈してもよいが、一般に、内部に中空部が形成され、一方の面に開口部が形成された六面体からなり、前記中空部にはバッテリが収納される。バッテリパックは、公知の構成要素である。
【００１４】
カバー１３０は、上述したケース１００の開口部に対応する形状を呈し、カバー１３０の周縁は一方の側に折り曲げられ（以下、「折曲部１３５」と称する。）、折曲部１３５は、ケース１００の開口部よりもやや広く形成されて折曲部１３５にケース１００の開口部が係合される。また、カバー１３０の内面には所定の間隔をおいて多数の突起１３７が突設され、カバー１３０がバッテリ付きケース１００の開口部に係合されると、突起１３７がバッテリを押し付けて支持するようになっている。但し、突起１３７は、必要に応じて省略可能であり、カバー１３０の形状も必要に応じて種々に変形可能である。
【００１５】
カバー１３０の内面であって、上述したケース１００の開口部と向かい合う面には消火液が貯留される消火タンク１５０が設けられる。カバー１３０は、一般にプラスチック製のものであるが、必ずしもこれに限定されるものではない。また、消火タンク１５０は、カバー１３０とは別途に製作してカバー１３０に係合させてもよいが、一体に形成されることが好ましい。消火タンク１５０は、カバー１３０の周縁に配設されている折曲部１３５よりも薄く形成され、且つ、カバー１３０の中央部に設けられることが好ましい。このとき、消火タンク１５０の一方の面には充填口１５５がさらに備えられてもよい。充填口１５５はカバー１３０の外側面に向かって延びて折曲部１３５を貫通した後に外方に突設される。さらに、外方に突設された充填口１５５の先端には逆止弁（図示せず）が備えられ、消火タンク１５０に高圧で充填されている消火液及び圧縮空気が逆流して外部に流出されることを防ぐ。上記の構成を有する消火タンク１５０の内部には、消火液及び圧縮空気が充填口１５５を介して充填される。
【００１６】
消火タンク１５０は、所定の圧力まで耐えるように設計されている。このため、バッテリに火災が発生して消火タンク１５０の内部に充填された消火液と圧縮空気が熱膨張を引き起こして消火タンク１５０の内部の圧力が所定の圧力以上に上昇すると、消火タンク１５０が破裂し、消火液が外部、つまり、バッテリが収納されているケースの内部に噴射される。
【００１７】
一方、本発明の好適な実施形態によれば、カバー１３０の内側の全面には多数の通油管１６０が配設されている。通油管１６０は消火タンク１５０と連通されて、消火タンク１５０の内部に充填された消火液が通油管１６０に沿ってカバー１３０の全面に万遍なく分布されるようにする。このとき、通油管１６０は、消火タンク１５０を中心として格子状または放射状に配設され、通油管１６０の一部または全部は、隣接する他の通油管１６０と互いに連通するように構成されることが好ましい。但し、上記の通油管１６０の配設は本発明の一実施形態に過ぎず、必ずしも特定の形状に限定される必要はなく、カバー１３０の内面に満遍なく分布可能であれば、種々の形状の配設が採用可能である。
【００１８】
通油管１６０は、消火タンク１５０と同様に、内部の圧力が所定の圧力以上に上昇すると破裂するように設計されている。このため、火災がバッテリ内の一部に発生した場合には、その部分に対応するカバー１３０部分に配設された通油管１６０が破裂して火災部位に対してのみ集中して消火液を噴射することによって、迅速に火災を鎮火させることができる。このとき、通油管１６０は、必要に応じて、カバーの内面だけではなく、折曲部１３５にまで配設されてもよい。
【００１９】
消火タンク１５０の内部に充填される消火液としては、電気火災用消火液（Ｃ級火災用）または化学物質による火災用消火液（Ｂ級火災用）が主として用いられるが、必ずしもこれに限定されるものではなく、火災が発生したときに熱膨張を引き起こしうる消火液であれば、公知のいかなる消火液でも使用可能である。本発明に係る消火機能付きバッテリカバーに使用可能な消火液として、韓国登録特許公報第０４３６３３１号に記載されている消火液が挙げられる。消火液が充填された消火タンクが所定の圧力下で破裂する技術は公知の技術であるため、これについての詳細な説明は省略する。
【００２０】
以上述べたように、本発明の詳細な説明においては具体的な実施形態について説明したが、本発明の要旨を逸脱しない範囲内で種々の変形が可能であるということはいうまでもない。よって、本発明の範囲は、前記した実施形態に限定して定められてはならず、後述する特許請求の範囲だけではなく、この特許請求の範囲に記載された構成と均等なものも含んで定められるべきである。
【００２１】
本発明は、消火機能付きバッテリカバーに係り、自動車または建設機械などの車両のバッテリに発生した火災を迅速に鎮火するために用いられる。
【符号の説明】
【００２２】
１００  ケース
１３０  カバー
１３５  折曲部
１３７  突起
１５０  消火タンク
１５５  充填口
１６０  通油管
【図１】
2014506384.tif 000003
【図２】
2014506384.tif 000004
【図３】
2014506384.tif 000005
【国際調査報告】
2014506384.tif 000006
2014506384.tif 000007
2014506384.tif 000008
2014506384.tif 000009